(57)【要約】広告がチャンネルに表示されているときに視聴者がチャンネルから切り替えることを防ぐ装置（２７０）及び方法が開示される。その装置（２７０）及び方法は、広告が表示されているときに、直接（記録なし）の放送の視聴者がチャンネルから切り替えることを防ぎ（１）、番組と共に記録された広告をスキップするために記録済の番組の視聴者が記録済の番組を早送りすることを防ぐ（２）ビデオ再生装置（１５０）の広告コントローラ（２７０）を有する。視聴者は、広告が表示されているときにチャンネルを変更し又は早送りするため、広告を視聴してもよく、支払を行ってもよい。
2006510250.tif 000002
【特許請求の範囲】
【請求項１】
複数のチャンネルで広告付きのビデオ番組を表示可能なビデオ表示システムにおける装置であって、
広告が第１のチャンネルに表示されているときに、広告付きのビデオ番組の視聴者が第１のチャンネルから第２のチャンネルに切り替えることを防ぐことが可能な装置。
【請求項２】
請求項１に記載の装置であって、
前記ビデオ表示システムは、広告付きの記録済のビデオ番組を表示可能であり、
前記装置は、前記記録済のビデオ番組の視聴者が前記記録済のビデオ番組を早送りし、前記記録済のビデオ番組の広告をスキップすることを防ぐことが更に可能な装置。
【請求項３】
請求項２に記載の装置であって、
前記装置は、
広告コントローラと、
前記広告コントローラに結合されたメモリと、
前記メモリ内の広告制御ソフトウェアと
を有し、
前記広告コントローラは、前記ビデオ表示システムのチャンネル切り替え機能と、前記ビデオ表示システムの早送り機能とのうち一方の排他的制御を行うように、前記広告制御ソフトウェアを実行可能な装置。
【請求項４】
請求項３に記載の装置であって、
前記広告制御ソフトウェアは、
マルチメディアホームプラットフォームシステム及びマルチメディアホームプラットフォームアプリケーションマネージャと、
第１の制御信号を受信し、前記第１の制御信号を受信することに応じて、前記チャンネル切り替え機能と前記早送り機能とのうち一方の排他的制御を行うことが可能な第１のマルチメディアホームプラットフォームアプリケーションと
を有し、
前記第１のマルチメディアホームプラットフォームアプリケーションは、第２の制御信号を受信し、前記第２の制御信号を受信することに応じて、前記チャンネル切り替え機能と前記早送り機能とのうち一方の排他的制御を解放することが更に可能な装置。
【請求項５】
請求項４に記載の装置であって、
前記広告制御ソフトウェアは、
前記第１のマルチメディアホームプラットフォームアプリケーションが前記チャンネル切り替え機能と前記早送り機能とのうち一方の排他的制御を取得することを防ぐことが可能な第２のアプリケーションを有する装置。
【請求項６】
請求項５に記載の装置であって、
前記第２のアプリケーションは、マルチメディアホームプラットフォームソフトウェアとマルチメディアホームプラットフォームアプリケーションとのうち一方を有する装置。
【請求項７】
請求項５に記載の装置であって、
前記広告制御ソフトウェアは、
前記視聴者から番組放送者に支払承認を送信し、放送ビデオ番組の広告の表示中にチャンネルを切り替えることと、記録済のビデオ番組の広告の表示中に記録済のビデオ番組を早送りすることとのうち一方を前記視聴者に許可することが可能な第３のマルチメディアホームプラットフォームアプリケーションを有する装置。
【請求項８】
複数のチャンネルで広告付きのビデオ番組を表示可能なビデオ表示システムであって、
前記ビデオ表示システムは、広告が第１のチャンネルに表示されているときに、広告付きのビデオ番組の視聴者が第１のチャンネルから第２のチャンネルに切り替えることを防ぐことが可能なビデオ表示システム。
【請求項９】
請求項８に記載のビデオ表示システムであって、
前記ビデオ表示システムは、広告付きの記録済のビデオ番組を表示可能であり、
前記装置は、前記記録済のビデオ番組の視聴者が前記記録済のビデオ番組を早送りし、前記記録済のビデオ番組の広告をスキップすることを防ぐことが更に可能なビデオ表示システム。
【請求項１０】
請求項９に記載のビデオ表示システムであって、
前記装置は、
広告コントローラと、
前記広告コントローラに結合されたメモリと、
前記メモリ内の広告制御ソフトウェアと
を有し、
前記広告コントローラは、前記ビデオ表示システムのチャンネル切り替え機能と、前記ビデオ表示システムの早送り機能とのうち一方の排他的制御を行うように、前記広告制御ソフトウェアを実行可能なビデオ表示システム。
【請求項１１】
請求項１０に記載のビデオ表示システムであって、
前記広告制御ソフトウェアは、
マルチメディアホームプラットフォームシステム及びマルチメディアホームプラットフォームアプリケーションマネージャと、
第１の制御信号を受信し、前記第１の制御信号を受信することに応じて、前記チャンネル切り替え機能と前記早送り機能とのうち一方の排他的制御を行うことが可能な第１のマルチメディアホームプラットフォームアプリケーションと
を有し、
前記第１のマルチメディアホームプラットフォームアプリケーションは、第２の制御信号を受信し、前記第２の制御信号を受信することに応じて、前記チャンネル切り替え機能と前記早送り機能とのうち一方の排他的制御を解放することが更に可能なビデオ表示システム。
【請求項１２】
請求項１１に記載のビデオ表示システムであって、
前記広告制御ソフトウェアは、
前記第１のマルチメディアホームプラットフォームアプリケーションが前記チャンネル切り替え機能と前記早送り機能とのうち一方の排他的制御を取得することを防ぐことが可能な第２のアプリケーションを有するビデオ表示システム。
【請求項１３】
請求項１２に記載のビデオ表示システムであって、
前記第２のアプリケーションは、マルチメディアホームプラットフォームソフトウェアとマルチメディアホームプラットフォームアプリケーションとのうち一方を有する装置。
【請求項１４】
請求項１１に記載のビデオ表示システムであって、
前記広告制御ソフトウェアは、
前記視聴者から番組放送者に支払承認を送信し、放送ビデオ番組の広告の表示中にチャンネルを切り替えることと、記録済のビデオ番組の広告の表示中に記録済のビデオ番組を早送りすることとのうち一方を前記視聴者に許可することが可能な第３のマルチメディアホームプラットフォームアプリケーションを有する装置。
【請求項１５】
ビデオ番組の視聴者に前記ビデオ番組の広告を見ることを要求する方法であって、
ビデオ表示システムにおいて複数のチャンネルで広告付きのビデオ番組を表示するステップと、
広告が第１のチャンネルに表示されているときに、前記視聴者が第１のチャンネルから第２のチャンネルに切り替えることを防ぐステップと
を有する方法。
【請求項１６】
請求項１５に記載の方法であって、
前記ビデオ表示システムで広告付きの記録済のビデオ番組を表示するステップと、
前記記録済のビデオ番組の視聴者が前記記録済のビデオ番組を早送りし、前記記録済のビデオ番組の広告をスキップすることを防ぐステップと
を更に有する方法。
【請求項１７】
請求項１６に記載の方法であって、
前記ビデオ表示システムに広告コントローラを提供するステップと、
前記広告コントローラにメモリを結合するステップと、
前記メモリ内に広告制御ソフトウェアを提供するステップと、
前記ビデオ表示システムのチャンネル切り替え機能と、前記ビデオ表示システムの早送り機能とのうち一方の排他的制御を行うように、前記広告コントローラで前記広告制御ソフトウェアを実行するステップと
を更に有する方法。
【請求項１８】
請求項１７に記載の方法であって、
前記広告制御ソフトウェアにマルチメディアホームプラットフォームシステム及びマルチメディアホームプラットフォームアプリケーションマネージャを提供するステップと、
第１の制御信号と第２の制御信号とを受信可能な第１のマルチメディアホームプラットフォームアプリケーションを提供するステップと、
前記第１の制御信号を受信することに応じて、前記チャンネル切り替え機能と前記早送り機能とのうち一方の排他的制御を前記第１のマルチメディアホームプラットフォームに行わせるステップと、
前記第２の制御信号を受信することに応じて、前記チャンネル切り替え機能と前記早送り機能とのうち一方の排他的制御を前記第１のマルチメディアホームプラットフォームに解放させるステップと
を更に有する方法。
【請求項１９】
請求項１８に記載の方法であって、
前記広告制御ソフトウェアに第２のアプリケーションを提供するステップと、
前記第１のマルチメディアホームプラットフォームアプリケーションが前記チャンネル切り替え機能と前記早送り機能とのうち一方の排他的制御を取得することを防ぐことを、前記第２のアプリケーションに行わせるステップと
を更に有する方法。
【請求項２０】
請求項１９に記載の方法であって、
前記第２のアプリケーションは、マルチメディアホームプラットフォームソフトウェアとマルチメディアホームプラットフォームアプリケーションとのうち一方を有する方法。
【請求項２１】
請求項１９に記載の方法であって、
前記広告制御ソフトウェアに第３のマルチメディアホームプラットフォームを提供するステップと、
前記視聴者から番組放送者に支払承認を送信し、放送ビデオ番組の広告の表示中にチャンネルを切り替えることと、記録済のビデオ番組の広告の表示中に記録済のビデオ番組を早送りすることとのうち一方を前記視聴者に許可することを、前記第３のマルチメディアホームプラットフォームアプリケーションに行わせるステップと
を更に有する方法。
【請求項２２】
ビデオ番組の視聴者に前記ビデオ番組の広告を見ることを要求するコンピュータ読取可能記憶媒体に格納されたコンピュータ実行可能命令であって、
ビデオ表示システムにおいて複数のチャンネルで広告付きのビデオ番組を表示するステップと、
広告が第１のチャンネルに表示されているときに、前記視聴者が第１のチャンネルから第２のチャンネルに切り替えることを防ぐステップと
を有するコンピュータ実行可能命令。
【請求項２３】
請求項２２に記載のコンピュータ読取可能記憶媒体に格納されたコンピュータ実行可能命令であって、
前記ビデオ表示システムで広告付きの記録済のビデオ番組を表示するステップと、
前記記録済のビデオ番組の視聴者が前記記録済のビデオ番組を早送りし、前記記録済のビデオ番組の広告をスキップすることを防ぐステップと
を更に有するコンピュータ実行可能命令。
【請求項２４】
請求項２３に記載のコンピュータ読取可能記憶媒体に格納されたコンピュータ実行可能命令であって、
前記ビデオ表示システムの広告コントローラに結合されたメモリ内にある広告制御ソフトウェアにアクセスするステップと、
前記ビデオ表示システムのチャンネル切り替え機能と、前記ビデオ表示システムの早送り機能とのうち一方の排他的制御を前記広告コントローラに行わせるように、前記広告コントローラで前記広告制御ソフトウェアを実行するステップと
を更に有するコンピュータ実行可能命令。
【請求項２５】
請求項２４に記載のコンピュータ読取可能記憶媒体に格納されたコンピュータ実行可能命令であって、
前記広告制御ソフトウェアのマルチメディアホームプラットフォームシステム及びマルチメディアホームプラットフォームアプリケーションマネージャにアクセスするステップと、
第１の制御信号と第２の制御信号とを受信可能な第１のマルチメディアホームプラットフォームアプリケーションにアクセスするステップと、
前記第１の制御信号を受信することに応じて、前記チャンネル切り替え機能と前記早送り機能とのうち一方の排他的制御を前記第１のマルチメディアホームプラットフォームに行わせるステップと、
前記第２の制御信号を受信することに応じて、前記チャンネル切り替え機能と前記早送り機能とのうち一方の排他的制御を前記第１のマルチメディアホームプラットフォームに解放させるステップと
を更に有するコンピュータ実行可能命令。
【請求項２６】
請求項２５に記載のコンピュータ読取可能記憶媒体に格納されたコンピュータ実行可能命令であって、
前記広告制御ソフトウェアの第２のアプリケーションを提供するステップと、
前記第１のマルチメディアホームプラットフォームアプリケーションが前記チャンネル切り替え機能と前記早送り機能とのうち一方の排他的制御を取得することを防ぐことを、前記第２のアプリケーションに行わせるステップと
を更に有するコンピュータ実行可能命令。
【請求項２７】
請求項２６に記載のコンピュータ読取可能記憶媒体に格納されたコンピュータ実行可能命令であって、
前記第２のアプリケーションは、マルチメディアホームプラットフォームソフトウェアとマルチメディアホームプラットフォームアプリケーションとのうち一方を有するコンピュータ実行可能命令。
【請求項２８】
請求項２３に記載のコンピュータ読取可能記憶媒体に格納されたコンピュータ実行可能命令であって、
前記広告制御ソフトウェアの第３のマルチメディアホームプラットフォームにアクセスするステップと、
前記視聴者から番組放送者に支払承認を送信し、放送ビデオ番組の広告の表示中にチャンネルを切り替えることと、記録済のビデオ番組の広告の表示中に記録済のビデオ番組を早送りすることとのうち一方を前記視聴者に許可することを、前記第３のマルチメディアホームプラットフォームアプリケーションに行わせるステップと
を更に有するコンピュータ実行可能命令。
【発明の詳細な説明】
【技術分野】
【０００１】
本発明は、概してビデオ画像表示システムを対象とし、特に広告が表示されているときに視聴者がチャンネルから切り替えることを防ぐ装置及び方法を対象とする。
【背景技術】
【０００２】
多様なビデオ再生装置が市場で入手可能である。ほとんどの人はビデオカセットレコーダ（ＶＣＲ：ｖｉｄｅｏ  ｃａｓｓｅｔｔｅ  ｒｅｃｏｒｄｅｒ）を所有し又は知っている。ビデオテープレコーダ（ＶＴＲ：ｖｉｄｅｏ  ｔａｐｅ  ｒｅｃｏｒｄｅｒ）は他の種類のビデオ再生装置である。近年、ビデオ番組を格納するために磁気カセットテープではなくコンピュータ磁気ハードディスクを使用するビデオレコーダが市場に出てきている。例えば、ＲｅｐｌａｙＴＶＪレコーダ及びＴｉＶＯＪレコーダは、例えばＭＰＥＧ−２圧縮を使用してハードディスクドライブにテレビ番組をデジタル記録する。更に、あるビデオ再生装置は磁気ディスクではなく読取可能／書込可能デジタル多用途ディスク（ＤＶＤ）に記録することがある。
【０００３】
しばしば視聴者がビデオ再生装置に記録されたビデオ番組を見ているときに、視聴者はビデオ再生装置に“早送り”コマンドを発し、番組と共に記録された広告をビデオ再生装置にスキップさせる。視聴者が広告付きの番組の直接（記録なし）の放送を見ているとき、広告が表示されているときに視聴者はしばしば他のチャンネルに切り替える。
【０００４】
番組と共に放送されている広告は番組に対して支払いを行っているため、このことは番組放送者に望ましくない。広告主は一般視聴者に広告を配信するために、放送広告に対して番組放送局に支払う。従って、番組放送者は、広告が視聴されており無視されていないことを理解することについて興味を有している。
【発明の開示】
【発明が解決しようとする課題】
【０００５】
従って、広告が第１のチャンネルに表示されているときに、直接（記録なし）の放送の視聴者が第１のチャンネルから第２のチャンネルに切り替えることを防ぐことができるビデオ表示システムの必要性が当該技術分野において存在する。また、番組と共に記録された広告をスキップするために、記録済の番組の視聴者が記録済の番組を早送りすることを防ぐことができるビデオ表示システムの必要性が当該技術分野において存在する。
【０００６】
従来技術の前述の欠点に対処するため、ビデオ番組と広告とを表示可能なビデオ表示システムで使用され、広告が表示されているときに視聴者がチャンネルを切り替えることを防ぐ装置及び方法を提供することが、本発明の主な目的である。
【０００７】
また、ビデオ番組と広告とを表示可能なビデオ表示システムで使用され、視聴者が記録済の番組を早送りして記録済の番組の広告をスキップすることを防ぐ装置及び方法を提供することが本発明の主な目的である。
【課題を解決するための手段】
【０００８】
１つの有利な実施例において、本発明は、ビデオ再生装置に広告コントローラと広告制御ソフトウェアとを有する。広告コントローラは、広告制御ソフトウェアを実行し、第１のマルチメディアホームプラットフォーム（ＭＨＰ：Ｍｕｌｔｉｍｅｄｉａ  Ｈｏｍｅ  Ｐｌａｔｆｏｒｍ）アプリケーションを起動する。第１のＭＨＰアプリケーションは、ビデオ再生装置のチャンネル切り替え機能の排他的制御を要求する放送の第１の制御信号を検出する。第１のＭＨＰアプリケーションは、番組の内容を視聴するために広告が視聴されなければならないことを視聴者に通知する。視聴者が選択された期間の間に何もしない場合、視聴者は番組内容を視聴するために広告が視聴される要求を受け入れたとみなされる。
【０００９】
次に、第１のＭＨＰアプリケーションは、チャンネル切り替え機能の排他的制御を行う。視聴者により広告中にチャンネルを切り替える如何なる試みも無視される。その後、第１のＭＨＰアプリケーションは、チャンネル切り替え機能の排他的制御を解放することを第１のＭＨＰアプリケーションに要求する第２の制御信号を検出する。次に、第１のＭＨＰアプリケーションは制御を解放し、広告中にチャンネルを切り替える機能を視聴者に戻す。
【００１０】
第１のＭＨＰアプリケーションは記録済の番組の場合も同様に動作する。記録済の番組では、排他的制御はビデオ再生装置の早送り機能に対してである。
【００１１】
本発明の有利な実施例によると、広告コントローラはまた、第１のＭＨＰアプリケーションがチャンネル切り替え機能又は早送り機能の排他的制御を取得することを防ぐことができる第２のＭＨＰアプリケーションを有してもよい。
【００１２】
本発明の有利な実施例によると、広告コントローラはまた、視聴者が放送ビデオ番組の広告の表示中にチャンネルを切り替えること、及び記録済の番組の広告の表示中に記録済のビデオ番組を早送りすることを可能にする支払承認を視聴者から番組放送者に送信することができる第３のＭＨＰアプリケーションを有してもよい。
【００１３】
前述のことは、当業者が以下の本発明の詳細な説明をより良く理解することができるように、本発明の特徴及び技術的利点を広く概説した。本発明の更なる特徴及び利点について、本発明の特許請求の範囲の対象を形成するように以下に説明する。これらは本発明の同じ目的を実行するための変更又は他の構造の設計の基礎として開示された概念及び特定の実施例を容易に使用し得ることを、当業者はわかる。このような同等な構成は広い形式での本発明の要旨及び意図を逸脱しないことも、当業者はわかる。
【発明を実施するための最良の形態】
【００１４】
詳細な説明を始める前に、この特許文献を通じて使用される特定の用語及び語句の定義を示すことが有利なことがある。“含む”及び“有する”並びにその派生語は、限定のない包含を意味する。“又は”という用語は包含的であり、及び／又はを意味する。“関連する”及び“それと関連する”並びにその派生語は、含む、含まれる、相互接続する、含まれる、包含される、接続する、結合する、通信可能である、協力する、交互配置する、並列する、近い、義務がある、有する、所有する等を意味することがある。“コントローラ”という用語は、少なくとも１つの動作を制御する如何なる装置、システム又はその一部を意味し、そのような装置は、ハードウェア、ファームウェア若しくはソフトウェア又はその少なくとも２つの何らかの組み合わせで実装されてもよい。如何なる特定のコントローラに関連する機能は、ローカルであれリモートであれ、集中してもよく分散してもよい点に留意すべきである。特に、コントローラは、１つ以上のアプリケーションプログラム及び／又はオペレーティングシステムプログラムを実行する１つ以上のデータプロセッサと、関連の入出力装置及びメモリとを有してもよい。特定の用語及び語句の定義はこの特許文献を通じて提供され、ほとんどの場合ではないにしても多くの場合、このような定義がこのように定義された用語及び語句の以前の使用及び将来の使用に適用することを、当業者はわかる。
【００１５】
本発明及びその利点の更に完全な理解のため、添付図面と共に以下の説明について説明する。図面において同様の数字は同様の物を示す。
【００１６】
以下の図１〜７、及びこの特許文献で本発明の原理を説明するために使用される多様な実施例は、一例としてのみであり、決して本発明の範囲を限定するように解釈されるべきではない。以下の例示的な実施例の説明において、本発明は、デジタルテレビ受信機及びデジタルテレビ放送システムと統合され、又はそれらと共に使用される。しかし、この実施例は一例としてのみであり、本発明の範囲をテレビ受信機及びテレビ放送システムに限定するように解釈されるべきではない。実際に、本発明の例示的な実施例は、如何なる種類のビデオ表示システム及びビデオ放送システムに使用されるように容易に変更され得ることを、当業者は認識するであろう。
【００１７】
図１は、例示的な従来技術のデジタルテレビ放送システム１０を示している。デジタルテレビ放送システム１０は、ローカル放送設備１１を有する。ローカル放送システム１１は、第１のビデオソース２１、第２のビデオソース２２及び第３のビデオソース２３から１つ以上のデジタルビデオ伝送ストリームを受信する。ローカル放送設備１１は、有線通信リンク又は無線通信リンクからこれらのデジタルビデオ伝送ストリームを受信してもよい。例えば、ローカル放送設備１１は、有線通信リンク３１を介して第１のビデオソース２１から１つ以上のデジタルビデオ伝送ストリームを受信し、有線通信リンク３２を介して第２のビデオソース２２から１つ以上のデジタルビデオ伝送ストリームを受信する。
【００１８】
ローカル放送設備１１はまた、第３のビデオソース２３からローカル放送設備１１に１つ以上のデジタルビデオ伝送ストリームを無線伝送する基地送受信局３４及び基地送受信局３５を有する。例示的な実施例では、第３のビデオソース２３は、通信回線３３を介してローカルマルチポイント配信システム（ＬＭＤＳ：ｌｏｃａｌ  ｍｕｌｔｉｐｏｉｎｔ  ｄｉｓｔｒｉｂｕｔｉｏｎ  ｓｙｓｔｅｍ）ネットワークの一部である基地送受信局３４にデジタルビデオ伝送ストリームを伝送してもよい。ＬＭＤＳネットワークでは、基地送受信局３４から基地送受信局３５にデジタルビデオ伝送ストリームを送信するためにマイクロ波リンクが使用される。通信回線３６は、基地送受信局３５からローカル放送設備１１にデジタルビデオ伝送ストリームを運ぶ。
【００１９】
ローカル放送設備１１は、デジタルビデオ伝送ストリームを加入者の場所４１、４２及び４３に送信する。その加入者の場所は個人住宅と事業拠点との双方を有してもよい。ローカル放送設備１１がケーブルテレビシステムの一部である場合、ローカル放送設備１１は、通信有線回線５１を介して加入者の場所４１及び４２に１つ以上の出力デジタルビデオ伝送ストリームを送信してもよい。通信有線回線５２は、ローカル設備１１から送信機５３に１つ以上の出力デジタルビデオ伝送ストリームを運び、その送信機５３は、加入者の場所４３に出力デジタル信号ビデオ伝送ストリームを無線伝送する。
【００２０】
ローカル放送設備１１により送受信されたデジタルビデオ伝送ストリームのそれぞれは、６メガヘルツ（６ＭＨｚ）放送チャンネルで運ばれる。通常では、伝送ストリームは複数の仮想チャンネルを有し、各仮想チャンネルは番組を有する。仮想チャンネルで運ばれる番組は、映画やニュースや天気チャンネルのように、視聴者が単一のテレビチャンネルで見るものである。通常は、各仮想チャンネルは、毎秒３メガビット（３Ｍｂｐｓ）のように固定帯域を割り当てられる。
【００２１】
以下の本発明の説明では、広告が表示されているときに、広告コントローラがチャンネルを切り替える（又は記録済の番組を早送りする）視聴者の機能を制御する。本発明の１つの有利な実施例では、広告コントローラは、ディスクベースのビデオレコーダを有するビデオ再生装置に実装される。これは一例としてのみであり、本発明の範囲を限定するように解釈されるべきではないことを、当業者は理解するであろう。本発明の代替の有利な実施例では、広告コントローラは、テレビセット、従来型のビデオカセットレコーダ（ＶＣＲ）、ケーブルテレビの変換ボックス又は衛星パラボラアンテナの制御ボックスに実装されてもよい。
【００２２】
図２は、本発明の有利な実施例による例示的なビデオ再生装置１５０とテレビセット１０５とを示している。ビデオ再生装置１５０は、ローカル放送設備１１から入力テレビ信号を受信する。ローカル放送設備１１は、ケーブルテレビサービスプロバイダ（Ｃａｂｌｅ  Ｃｏ．）でもよく、インターネットサービスプロバイダ（ＩＳＰ）でもよい。ビデオ再生装置１５０は選択されたチャンネルからのテレビ信号をテレビセット１０５に送信する。チャンネルはユーザにより手動で選択されてもよく、また、ユーザにより事前にプログラムされた記録装置により自動で選択されてもよい。代替として、チャンネル及びビデオ番組は、ユーザの個人の視聴履歴の番組プロフィールからの情報に基づいて記録装置により自動で選択されてもよい。
【００２３】
記録モードでは、ビデオ再生装置１５０は、入力無線周波数（ＲＦ：ｒａｄｉｏ  ｆｒｅｑｕｅｎｃｙ）テレビ信号を復調し、ビデオ再生装置１５０内の又はそれに接続された記録媒体に記録及び格納されるベースバンドビデオ信号を作ってもよい。再生モードでは、ビデオ再生装置１５０は、ユーザにより選択された格納済のベースバンドビデオ信号（すなわち番組）を記憶装置から読み取り、それをテレビセット１０５に送信する。ビデオ再生装置１５０は、デジタル信号を受信、記録、インタラクト及び再生することができる形式のビデオレコーダを有してもよい。
【００２４】
ビデオ再生装置１５０は、記録テープ、ハードディスク、固体メモリ、その他の種類の記憶装置を利用する形式のビデオレコーダを有してもよい。ビデオ再生装置１５０がビデオカセットレコーダ（ＶＣＲ）である場合、ビデオ再生装置１５０は磁気カセットテープに入力テレビ信号を格納し、それから入力テレビ信号を取り出す。ビデオ再生装置１５０がＲｅｐｌａｙＴＶＪレコーダ又はＴｉＶＯＪレコーダのようなディスク駆動ベースの装置である場合、ビデオ再生装置１５０は、磁気カセットテープではなくコンピュータ磁気ハードディスクに入力テレビ信号を格納し、それから入力テレビ信号を取り出し、格納されたテレビ信号をハードディスクから取り出す。更に他の実施例では、ビデオ再生装置１５０は、ローカル読取／書込（Ｒ／Ｗ）デジタル多用途ディスク（ＤＶＤ）又は読取／書込（Ｒ／Ｗ）コンパクトディスク（ＣＤ−ＲＷ）に格納し、それから取り出してもよい。ローカル記憶媒体は固定（例えばハードディスクドライブ）でもよく、取り外し可能（例えばＤＶＤ、ＣＤ−ＲＯＭ）でもよい。
【００２５】
ビデオ再生装置１５０は、ユーザにより操作される遠隔制御装置１２５からコマンド（チャンネル上、チャンネル下、音量アップ、音量ダウン、記録、再生、早送り（ＦＦ）、反転等）を受信する赤外線（ＩＲ）センサ１６０を有する。テレビセット１０５は、スクリーン１１０と、赤外線（ＩＲ）センサ１１５と、１つ以上の手動制御１２０（点線で示す）とを有する従来型のテレビである。ビデオ再生装置１５０はまた、スクリーン１１０にテキストメッセージ１９０を表示することができる。ＩＲセンサ１１５はまた、ユーザにより操作される遠隔制御装置１２５からコマンド（音量アップ、音量ダウン、電源オン、電源オフ等）を受信する。
【００２６】
ビデオ再生装置１５０は特定の種類のソースから特定の種類の入力テレビ信号を受信することに限定されない点に留意すべきである。前述のように、外部ソースは、ケーブルサービスプロバイダ、従来型のＲＦ放送アンテナ、衛星パラボラアンテナ、インターネット接続、又はＤＶＤプレイヤ若しくはＶＨＳテーププレイヤのようなその他のローカル記憶装置でもよい。ある実施例では、ビデオ再生装置１５０は、記録することができず、取り外し可能ＤＶＤ又はＣＤ−ＲＯＭから取り出されたテレビ信号を再生することに限られてもよい。このように、入力信号はデジタル信号、アナログ信号又はインターネットプロトコル（ＩＰ）パケットでもよい。
【００２７】
しかし、本発明の原理を説明する際の簡潔性及び明瞭性のため、以下の説明は、概してケーブルサービスプロバイダから入力テレビ信号（アナログ及び／又はデジタル）を受信するビデオ再生装置１５０の実施例を対象とする。それにもかかわらず、本発明の原理は、無線放送テレビ信号、ローカル記憶システム、ＭＰＥＧデータを含むＩＰパケットの入力ストリーム等での使用に容易に適合され得ることを、当業者は理解するであろう。
【００２８】
図３は、本発明の有利な実施例による例示的なビデオ再生装置１５０を詳細に示している。ビデオ再生装置１５０は、ＩＲセンサ１６０と、ビデオプロセッサ２１０と、ＭＰＥＧ２エンコーダ２２０と、ハードディスクドライブ２３０と、ＭＰＥＧ２デコーダ／ＮＴＳＣエンコーダ２４０と、ビデオレコーダ（ＶＲ）コントローラ２５０とを有する。ビデオ再生装置１５０は、ビデオバッファ２６５と、広告コントローラ２７０と、メモリ２８０とを有するビデオユニット２６０を更に有する。ＶＲコントローラ２５０は、視聴モードと記録モードと再生モードと早送り（ＦＦ）モードと反転モードと他の同様の機能とを含み、映像再生装置１５０の全体動作を指示する。広告コントローラ２７０は、本発明の原理に従って広告の表示を指示する。
【００２９】
視聴モードでは、ＶＲコントローラ２５０は、ケーブルサービスプロバイダからの入力テレビ信号をビデオプロセッサ２１０により復調及び処理させ、ハードディスクドライブ２３０にビデオ信号を格納して又は格納せずに（又はハードディスクドライブ２３０からビデオ信号を取り出して又は取り出さずに）テレビセット１０５に送信させる。ビデオプロセッサ２１０は、ケーブルサービスプロバイダから入力テレビ信号を受信し、ユーザ選択のチャンネルに合わせ、選択されたＲＦ信号をテレビセット１０５での表示に適したベースバンドテレビ信号（例えばスーパービデオ信号（ｓｕｐｅｒ  ｖｉｄｅｏ  ｓｉｇｎａｌ））に変換する無線周波数（ＲＦ）フロントエンド回路を有する。ビデオプロセッサ２１０はまた、再生モード中に（ビデオユニット２６０のビデオバッファ２６５にバッファした後に）ＭＰＥＧ２デコーダ／ＮＴＳＣエンコーダ２４０から従来型のＮＴＳＣ信号を受信し、ベースバンド信号をテレビセット１０５に送信することができる。
【００３０】
記録モードでは、ＶＲコントローラ２５０は、入力テレビ信号をハードディスクドライブ２３０に格納させる。ＶＲコントローラ２５０の制御のもとで、ＭＰＥＧ２エンコーダ２２０はケーブルサービスプロバイダから入力アナログテレビ信号を受信し、ハードディスクドライブ２３０に格納するため、受信したＲＦ信号をＭＰＥＧ２フォーマットに変換する。代替として、ビデオ再生装置１５０がＭＰＥＧ２データを送信するソースに結合されている場合、入力ＭＰＥＧ２データはＭＰＥＧ２エンコーダ２２０をバイパスし、ハードディスクドライブ２３０に直接格納されてもよい。
【００３１】
再生モードでは、ＶＲコントローラ２５０は、格納されたテレビ信号（すなわち番組）をＭＰＥＧ２デコーダ／ＮＴＳＣエンコーダ２４０にストリームするようにハードディスクドライブ２３０に指示し、そのＭＰＥＧ２デコーダ／ＮＴＳＣエンコーダ２４０は、ハードディスク２３０からのＭＰＥＧ２データを、ビデオプロセッサ２１０がテレビセット１０５に送信する例えばスーパービデオ（Ｓ−Ｖｉｄｅｏ）信号に変換する。
【００３２】
ＭＰＥＧ２エンコーダ２２０及びＭＰＥＧ２デコーダ／ＮＴＳＣエンコーダ２４０のＭＰＥＧ２標準の選択は一例としてのみである点に留意すべきである。本発明の代替実施例では、ＭＰＥＧエンコーダ及びデコーダは、ＭＰＥＧ−１、ＭＰＥＧ−２、ＭＰＥＧ−４及びＭＰＥＧ−７標準のうち１つ以上、又は１つ以上の他の種類の標準に準拠してもよい。
【００３３】
この出願及び以下の特許請求の範囲の目的で、ハードディスクドライブ２３０は、読取／書込デジタル多用途ディスク（ＤＶＤ−ＲＷ）、再書込み可能ＣＤ−ＲＯＭ、ＶＣＲテープ等の従来型の磁気ディスクドライブ及び光ディスクドライブを含み、これらに限定されない読取可能及び書込可能な如何なるマスストレージ装置を有するものと定められる。実際に、ハードディスクドライブ２３０は、ビデオ再生装置１５０に不変に内蔵されるように従来の意味で固定されている必要はない。むしろ、ハードディスクドライブ２３０は、記録済のビデオ番組を格納する目的のビデオ再生装置１５０に専用の如何なるマスストレージ装置をも有する。このように、ハードディスクドライブ２３０は、複数の読取／書込ＤＶＤ又は再書込み可能ＣＤ−ＲＯＭを有するジュークボックス装置（図示なし）のように、付属の周辺装置又は（内蔵であれ付属であれ）取り外し可能ディスクドライブを有してもよい。図３に概略的に示すように、この形式の取り外し可能ディスクドライブは、再書込み可能ＣＤ−ＲＯＭディスク２３５を受け入れて読み取ることができる。
【００３４】
更に、本発明の有利な実施例では、ハードディスクドライブ２３０は、例えば視聴者のホームパーソナルコンピュータ（ＰＣ）のディスクドライブ又は視聴者のインターネットサービスプロバイダ（ＩＳＰ）のサーバのハードディスクドライブを含み、ビデオ再生装置１５０がネットワーク接続（例えばインターネットプロトコル（ＩＰ）接続）を介してアクセス及び制御し得る外部マスストレージ装置を有してもよい。
【００３５】
ＶＲコントローラ２５０は、ビデオプロセッサ２１０により受信したビデオ信号に関する情報をビデオプロセッサ２１０から取得する。ビデオ再生装置１５０がビデオ番組を受信していることをＶＲコントローラ２５０が決定すると、ＶＲコントローラ２５０は、ビデオ番組が記録されるように選択されたものであるか否かを決定する。ビデオ番組が記録される場合、ＶＲコントローラ２５０は、前述の方法でビデオ番組をハードディスクドライブ２３０に記録させる。ビデオ番組が記録されない場合、ＶＲコントローラ２５０は、前述の方法でビデオ番組をビデオプロセッサ２１０により処理させ、テレビセット１０５に送信させる。
【００３６】
本発明の例示的な実施例では、メモリ２８０は、ランダムアクセスメモリ（ＲＡＭ）又はランダムアクセスメモリ（ＲＡＭ）と読み取り専用メモリ（ＲＯＭ）との組み合わせを有してもよい。メモリ２８０は、フラッシュメモリのような不揮発性ランダムアクセスメモリ（ＲＡＭ）を有してもよい。テレビセット１０５の代替の有利な実施例では、メモリ２８０は、ハードディスクドライブ（図示なし）のようなマスストレージデータ装置を有してもよい。メモリ２８０はまた、読取／書込ＤＶＤ又は再書込み可能ＣＤ−ＲＯＭを読み取る付属の周辺装置又は（内蔵であれ付属であれ）取り外し可能ディスクドライブを有してもよい。図３に概略的に示すように、この形式の取り外し可能ディスクドライブは、再書込み可能ＣＤ−ＲＯＭディスク２８５を受け入れて読み取ることができる。
【００３７】
図４は、本発明の広告制御ソフトウェア３００を有するメモリ２８０の選択部分を示している。広告制御ソフトウェア３００はまた、ＣＤ−ＲＯＭディスク２８５に格納されてもよい。メモリ２８０は、マルチメディアホームプラットフォーム（ＭＨＰ：Ｍｕｌｔｉｍｅｄｉａ  Ｈｏｍｅ  Ｐｌａｔｆｏｒｍ）ソフトウェア３１０を有する。ＭＨＰソフトウェア３１０はＭＨＰアプリケーションマネージャ３２０を有する。広告制御ソフトウェア３００はまた、第１のＭＨＰアプリケーション３３０と、第２のＭＨＰアプリケーションと、第３のＭＨＰアプリケーションとを有する。３つのＭＨＰアプリケーション（３３０、３４０、３５０）の機能について、以下に更に説明する。広告コントローラ２７０と広告制御ソフトウェア３００とを併せて、本発明を実施可能な広告制御システムを有する。マルチメディアホームプラットフォーム（ＭＨＰ）ソフトウェア３１０は、ＶＲコントローラ２５０のオペレーティングシステムと広告コントローラ２７０とで、広告制御ソフトウェア３００の動作を調整する。
【００３８】
まず、広告付きで放送される直接（記録なし）の番組の場合について検討する。前述のように、番組は再生装置１５０によりテレビ１５０のスクリーン１１０に表示される。視聴者が広告中にチャンネルを切り替えることを番組放送者が防ごうとすると、番組放送者は、第１の制御信号を番組放送に挿入させる。第１の制御信号は、チャンネル切り替え機能の排他的制御を行うように広告コントローラ２７０に指示する。
【００３９】
第１のＭＨＰアプリケーション３３０は第１の制御信号を検出することができる。第１のＭＨＰアプリケーション３３０が第１の制御信号を検出すると、第１のＭＨＰアプリケーション３３０は、番組の内容を視聴するために番組に関連する広告が視聴されなければならないことを視聴者に通知する。第１のＭＨＰアプリケーション３３０は、テレビ１０５のスクリーン１１０にテキストメッセージ１９０を生成及び表示することにより、この要件を視聴者に通知する。
【００４０】
次に、第１のＭＨＰアプリケーションは選択された期間だけ待ち、チャンネルを変更する機会を視聴者に与える。視聴者が番組を見続け、チャンネルを変更しない場合、第１のＭＨＰアプリケーション３３０はチャンネル切り替え機能の排他的制御を行う。
【００４１】
第１のＭＨＰアプリケーション３３０は、ＭＨＰアプリケーションプログラムインタフェース（ＡＰＩ）を使用することにより、チャンネル切り替え機能の排他的制御を行う。ＡＰＩはアプリケーションと、マルチメディアホームプラットフォームの特定の特徴、機能又はリソースとの間のインタフェースである。ＭＨＰでは、アプリケーションは視聴者からの入力イベントへの排他的アクセスを要求することができる。これは、チャンネルを切り替えるために使用される遠隔制御キーへの排他的アクセスをアプリケーションが要求することができることを意味する。
【００４２】
特に、第１のＭＨＰアプリケーション３３０は、ＭＨＰのｏｒｇ．ｄｖｂ．ｅｖｅｎｔのＡＰＩを使用することにより、チャンネル切り替え機能の排他的制御を行うことができる。ｏｒｇ．ｄｖｂ．ｅｖｅｎｔのＡＰＩは、リモコン（ここではリモコン１２５）からユーザイベントを受信するように登録するメソッドを第１のＭＨＰアプリケーション３３０に提供する。ｏｒｇ．ｄｖｂ．ｅｖｅｎｔのＡＰＩを使用して、第１のＭＨＰアプリケーション３３０は特定の遠隔制御キーイベントへの排他的アクセスを要求し、それにより、その他のアプリケーションがそれらのイベントを受信することができなくなる。
【００４３】
これは、ＭＨＰ  Ｅｖｅｎｔ  Ｍａｎａｇｅｒ  と、“ａｄｄＥｘｃｌｕｓｉｖｅＡｃｃｅｓｓＴｏＡＷＴＥｖｅｎｔ（．．．）”という題のＭＨＰメソッドとを使用することにより実現されてもよい。このメソッドに関する更なる詳細については、Ｍｕｌｔｉｍｅｄｉａ  Ｈｏｍｅ  Ｐｌａｔｆｏｒｍ（ＭＨＰ）  Ｓｐｅｃｉｆｉｃａｔｉｏｎ（２００２年６月版の３４３ページ）を参照のこと。これは参照として取り込まれる。
【００４４】
ＭＨＰ仕様はまた、ＭＨＰアプリケーションがカラー及びテレテキストキー以外のイベントを受信しようとすると、ＭＨＰアプリケーションは表示スクリーンに不透明のグラフィックオブジェクトを表示しなければならないことを記述する（２００２年６月版の１１１−１１２ページ）。この要件によれば、第１のＭＨＰアプリケーション３３０はまた、視聴者が広告中にチャンネルを変更する機能をもはや有していないことを示すグラフィックオブジェクト（例えばスクリーン１１０の下の小さいバー）を生成及び表示する。
【００４５】
第１のＭＨＰアプリケーション３３０がチャンネル切り替え機能の排他的制御を保有している間に、第１のＭＨＰアプリケーション３３０は、広告が表示されている間にチャンネルを変更する視聴者の如何なる試みも無視する。
【００４６】
視聴者が広告中にチャンネルを変更することを、番組放送者が可能にしようとすると、番組放送者は第２の制御信号を番組放送に挿入させる。第２の制御信号は、広告中にチャンネル切り替え機能の排他的制御を解放するように、広告コントローラ２７０に指示する。第１のＭＨＰアプリケーション３３０が第２の制御信号を検出すると、第１のＭＨＰアプリケーション３３０は広告中のチャンネル切り替え機能の排他的制御を解放する。通常は、第２の制御信号は番組の終了時に送信される。
【００４７】
一般的に、第１の制御信号及び第２の制御信号は、チャンネル切り替え機能が広告コントローラ２７０の排他的制御のもとにある間に、ビデオ番組のブロックを指定する。厳密に言えば、広告が視聴されなければならないという通知を視聴者が受信した後の選択された期間の終了まで、チャンネルを切り替える機能は視聴者から行われない。視聴者が選択された期間の間に何も動作を行わないときに、視聴者は通知を認識して受け入れる。
【００４８】
（何も動作を行わないことにより示す）視聴者の承認は、広告コントローラ２７０がチャンネル切り替え機能の排他的制御を行うために必要である。例えば、通知後の選択された期間の終了前に視聴者が第２のチャンネルに切り替え、第２のチャンネルが広告を表示していることについて検討する。視聴者は第２のチャンネルから他のチャンネルに切り替え続けることができる。これは、視聴者が第２のチャンネルで以前に与えられた通知を受け入れなかったためである。
【００４９】
一般的に、前述の処理は、ビデオ再生装置１５０に表示される以前に記録された広告付きの番組の場合でも同じである。第１のＭＨＰアプリケーション３３０は、記録済の番組の第１の制御信号を検出し、ビデオ再生装置１５０の早送り機能の排他的制御を行う。第１のＭＨＰアプリケーション３３０は、テレビ１０５のスクリーン１１０にテキストメッセージを表示し、番組内容と共に広告が視聴されなければならないことを視聴者に通知する。視聴者が選択された期間内に何も動作を行わない場合、第１のＭＨＰアプリケーション３３０はビデオ再生装置１５０の早送り機能の排他的制御を行う。次に、第１のＭＨＰアプリケーション３３０は、広告が表示されている間に記録済の番組を早送りする視聴者の如何なる試みをも無視する。第１のＭＨＰアプリケーション３３０が第２の制御信号を検出すると、第１のＭＨＰアプリケーション３３０は、広告中にビデオ再生装置１５０の早送り機能の排他的制御を解放する。
【００５０】
番組放送者が視聴者に広告を見るように強いることができることは、視聴者によりかなり不快に思われることがある。ビデオ再生装置（セットトップボックス等）の製造者は、番組放送者が視聴者に通知し、もはや視聴者が広告中にチャンネルを切り替えることができなくなる意味を説明することを確保するすべがない。ビデオ再生装置の遠隔制御キーが広告中にチャンネルを切り替えることを中止すると、視聴者は番組放送者ではなく、ビデオ表示装置（及びビデオ表示装置の製造者）の責任にする可能性が非常に高くなる。
【００５１】
第２のＭＨＰアプリケーション３４０は、第１のＭＨＰアプリケーション３３０がチャンネル切り替え機能の排他的制御を行うことを防ぐことができる装置及び方法を提供することにより、この問題を解決する。第２のＭＨＰアプリケーション３４０は、チャンネル切り替え機能（記録済の番組では早送り機能）への第１のＭＨＰアプリケーション３３０のアクセスをブロックすることができる。第２のＭＨＰアプリケーション３４０を起動することにより、視聴者は広告中に常にチャンネルを切り替える（早送りする）ことが確保される。
【００５２】
ＭＨＰにおいてリソース（キーイベント等）へのアクセスが常に利用可能なリソースに左右されるため、このことが可能になる。ＭＨＰアプリケーションマネージャ３２０は、他のＭＨＰアプリケーション（第１のＭＨＰアプリケーション３３０等）が遠隔制御キーへの排他的アクセスを取得することを防ぐことができる。
【００５３】
本発明の実施例では、第２のＭＨＰアプリケーション３４０の機能はＭＨＰソフトウェア３１０により実行されてもよい。
【００５４】
遠隔制御キーへの第１のＭＨＰアプリケーション３３０のアクセスをブロックするために第２のＭＨＰアプリケーション３４０を使用することに応じて、番組放送者が広告中にチャンネル切り替え（及び早送り）を無効にすることを許可されていない場合に、番組放送者は番組内容が表示されないことを決定してもよい。
【００５５】
このような行き詰まりを解決する１つの方法は、視聴者と番組放送者との間で支払協定を確立することである。視聴者が広告中にチャンネルを切り替え又は早送りできることを希望すると、視聴者は支払承認を送信し、番組放送者に支払を行う。支払協定は第３のＭＨＰアプリケーション３５０により実行される。第３のＭＨＰアプリケーション３５０は、視聴者が広告中にチャネルを変更し又は早送りするように選択した時間の量（又は番組の数）を把握する。第３のＭＨＰアプリケーション３５０は、返信チャンネル（図示なし）を介して放送サイト（又は他の場所）と通信してもよい。第３のＭＨＰアプリケーション３５０は、何人の視聴者が広告を見ているか及び何人の視聴者が広告中にチャンネルを切り替え又は早送りすることに支払っているかに関する支払情報及び視聴者統計を送信してもよい。
【００５６】
視聴者は３つの選択肢を有する。第１に、広告が表示されているときに第１のＭＨＰアプリケーション３３０がチャンネル切り替え機能（及び早送り機能）の排他的制御を有することを可能にすることにより、視聴者は広告を見ることができる。第２に、視聴者は、第１のＭＨＰアプリケーション３３０のアクセスをブロックし、番組内容が表示されないことをあえて行うために、第２のＭＨＰアプリケーション３４０を使用することができる。第３に、視聴者は、番組放送者に支払承認を送信し、広告が表示されているときにチャンネルを変更する権利（及び早送りする権利）について支払うために、第３のＭＨＰアプリケーション３５０を使用することができる。
【００５７】
図５は、広告が表示されているときに視聴者がチャンネルを切り替えることを防ぐ本発明の有利な実施例の方法の動作を示したフローチャート５００を示している。その方法の最初のステップにおいて、第１のＭＨＰアプリケーション３３０は放送の第１の制御信号を検出し、チャンネル切り替え機能の排他的制御を行う（ステップ５１０）。次に、第１のＭＨＰアプリケーション３３０は、番組の内容を視聴するために広告が視聴されなければならないことを視聴者に通知する（ステップ５２０）。次に、第１のＭＨＰアプリケーションは選択された期間だけ待ち、視聴者が選択された期間の間に番組を見続けるか否かを判定する（判定ステップ５３０）。視聴者が選択された期間の間に番組を見続けない場合、その方法は継続する。
【００５８】
視聴者が選択された期間の間に番組を見続ける場合、第１のＭＨＰアプリケーション３３０はチャンネル切り替え機能の排他的制御を行う（ステップ５４０）。第１のＭＨＰアプリケーション３３０は、チャンネルを切り替える視聴者の如何なる試みも無視する（ステップ５５０）。次に、第１のＭＨＰアプリケーション３３０は放送の第２の制御信号を検出し、チャンネル切り替え機能の排他的制御を解放する（ステップ５６０）。次に、第１のＭＨＰアプリケーション３３０は、チャンネル切り替え機能の排他的制御を解放し（ステップ５７０）、その方法が継続する。
【００５９】
図６は、広告が表示されているときに視聴者が記録済の番組を早送りすることを防ぐ本発明の有利な実施例の方法の動作を示したフローチャート６００を示している。その方法の最初のステップにおいて、第１のＭＨＰアプリケーション３３０は記録中の第１の制御信号を検出し、早送り機能の排他的制御を行う（ステップ６１０）。次に、第１のＭＨＰアプリケーション３３０は、番組の内容を視聴するために広告が視聴されなければならないことを視聴者に通知する（ステップ６２０）。次に、第１のＭＨＰアプリケーションは選択された期間だけ待ち、視聴者が選択された期間の間に番組を見続けるか否かを判定する（判定ステップ６３０）。視聴者が選択された期間の間に番組を見続けない場合、その方法は継続する。
【００６０】
視聴者が選択された期間の間に番組を見続ける場合、第１のＭＨＰアプリケーション３３０は早送り機能の排他的制御を行う（ステップ６４０）。第１のＭＨＰアプリケーション３３０は、記録を早送りする視聴者の如何なる試みも無視する（ステップ６５０）。次に、第１のＭＨＰアプリケーション３３０は記録中の第２の制御信号を検出し、チャンネル切り替え機能の排他的制御を解放する（ステップ６６０）。次に、第１のＭＨＰアプリケーション３３０は、早送り機能の排他的制御を解放し（ステップ６７０）、その方法が継続する。
【００６１】
図７は、広告が表示されているときに視聴者がチャンネルを切り替えることを防ぐ本発明の有利な実施例の代替方法の動作を示したフローチャート７００を示している。その方法の最初のステップにおいて、第１のＭＨＰアプリケーション３３０はチャンネル切り替え機能の排他的制御を行おうとする（ステップ７１０）。第２のＭＨＰアプリケーション３４０は、チャンネル切り替え機能の排他的制御を行う第１のＭＨＰアプリケーション３３０の試みをブロックする（ステップ７２０）。第３のＭＨＰアプリケーション２５０で視聴者と放送者との間に支払協定が存在するか否かについて判定が行われる（判定ステップ７３０）。
【００６２】
支払協定が存在する場合、第３のＭＨＰアプリケーション３５０は支払を行い、それにより、視聴者は広告の表示中にチャンネルを切り替えることが可能になる（ステップ７４０）。次に、番組内容がテレビ１０５のスクリーン１１０に表示され（ステップ７５０）、その方法が継続する。支払協定が存在しない場合、番組内容がテレビ１０５のスクリーン１１０に表示されず、その方法が継続する。
【００６３】
本発明について詳細に説明したが、広い形での本発明の要旨及び範囲を逸脱することなく、多様な変更、代用及び代替を行うことができることを、当業者は認識するであろう。
【図面の簡単な説明】
【００６４】
【図１】例示的な従来技術のデジタルテレビ放送システム
【図２】本発明の有利な実施例によるテレビ受信機及びビデオ再生装置
【図３】本発明の有利な実施例による図２のビデオ再生装置の更に詳細な図を示したブロック図
【図４】本発明の１つの有利な実施例で使用される広告制御ソフトウェア
【図５】チャンネル切り替え機能に対して排他的制御を取得する本発明の１つの有利な実施例の方法の動作のフローチャート
【図６】早送り機能に対して排他的機能を取得する本発明の１つの有利な実施例の方法の動作のフローチャート
【図７】チャンネル切り替え機能に対して排他的制御を取得する試みをブロックし、広告の表示中に視聴者がチャンネルを切り替えることができる支払を行う本発明の１つの有利な実施例の方法の動作のフローチャート
【図１】
2006510250.tif 000003
【図２】
2006510250.tif 000004
【図３】
2006510250.tif 000005
【図４】
2006510250.tif 000006
【図５】
2006510250.tif 000007
【図６】
2006510250.tif 000008
【図７】
2006510250.tif 000009
【国際調査報告】
2006510250.tif 000010
2006510250.tif 000011
2006510250.tif 000012
2006510250.tif 000013